(57)【要約】【課題】簡単な操作により使用者の好みの風量に対して、その日の気分に応じた任意の涼音を発生させることができ、使い勝手を向上させた扇風機を提供することを課題とする。【解決手段】送風部３の風量を切換える風量スイッチ１０と、涼音を発生させる涼音スイッチ１２とを備えた扇風機において、涼音スイッチ１２は、複数種の音の中から任意の音を選択できるようにする。また、涼音の音量は、風量スイッチ１０により選択された送風部３の風量に基づいて設定されている。【選択図】         図３
2005098204.tif 000002
【特許請求の範囲】
【請求項１】
風量を切換える風量スイッチと、涼音を発生させる涼音スイッチとを備えた扇風機において、前記涼音スイッチは、複数種の音の中から任意の音を選択できることを特徴とする扇風機。
【請求項２】
風量を切換える風量スイッチと、涼音を発生させる涼音スイッチとを備えた扇風機において、前記涼音スイッチは、複数種の音の中から任意の音を選択できると共に、涼音発生時の音量は、風量スイッチにより選択された風量に基づいて設定されることを特徴とする扇風機。
【請求項３】
タッチ式風量スイッチと、涼音発生機能とを備えた扇風機において、風量スイッチにタッチしている時間が所定時間内の場合は、風量スイッチにタッチする度に風量を所定のパターンで強弱切換えると共に、風量スイッチにタッチしている時間が所定時間以上の場合は、その時の風量を継続したままその時の風量に対応して設定された涼音を発生させ、涼音を発生させた後の状態で風量スイッチにタッチする時間が所定時間内の場合は、風量スイッチにタッチする度にその時の涼音を継続したまま風量を所定のパターンで強弱切換えることを特徴とする扇風機。
【請求項４】
前記涼音を発生している状態において風量スイッチにタッチしている時間が所定時間以上の場合は、その時の風量を継続したまま涼音を消すことを特徴とする請求項３記載の扇風機。
【請求項５】
風量を切換えるための風量スイッチと、涼音発生機能とを備えた扇風機において、前記風量スイッチを操作する度に風量または涼音を所定のパターンで切換えることを特徴とする扇風機。
【請求項６】
風量を切換える風量スイッチと、涼音を発生させる涼音スイッチと、タイマー運転を設定するタイマースイッチとを備えた扇風機において、前記涼音スイッチは、複数種の音の中から任意の音を選択でき、涼音スイッチにより任意の涼音を選択すると共に、タイマースイッチによりタイマー運転を設定した場合、時間の経過と共に涼音の音量を小さくすることを特徴とする扇風機。
【請求項７】
風量を切換える風量スイッチと、涼音を発生させる涼音スイッチと、目覚ましモードを選択する目覚ましスイッチと、目覚ましスイッチにより目覚ましモードが選択された際に目覚まし時間を設定する時間設定スイッチとを備えた扇風機において、前記涼音スイッチは、複数種の音の中から任意の音を選択でき、前記時間設定スイッチにより設定された目覚まし時間になった時、前記複数種の音の中から予め設定されている涼音を発生させることを特徴とする扇風機。
【請求項８】
前記時間設定スイッチにより設定された目覚まし時間になった後、時間の経過と共に前記複数種の音の中から発生させる涼音の種類を変化させることを特徴とする請求項７記載の扇風機。
【請求項９】
前記時間設定スイッチにより設定された目覚まし時間になった後、時間の経過と共に発生させる涼音の音量を大きくすることを特徴とする請求項７または請求項８記載の扇風機。
【請求項１０】
前記時間設定スイッチにより設定された目覚まし時間になったときに発生させる涼音の種類は、目覚ましスイッチにより目覚ましモードを選択する際、前記複数種の音の中から任意の音を選択できることを特徴とする請求項７記載の扇風機。
【発明の詳細な説明】
【技術分野】
【０００１】
本発明は、扇風機に関し、特に、音発生機能を有する扇風機に関する。
【背景技術】
【０００２】
従来、音発生機能を有する扇風機は、風量スイッチによって選択された風量に応じて予め設定されている涼音を発生させるものが知られている。（例えば、特許文献１参照）
【特許文献１】特開２０００−６４９８８号公報
【発明の開示】
【発明が解決しようとする課題】
【０００３】
しかしながら、ある風量においては１種類の涼音しか発生させることができず、使用者の好みの風量に対して、その日の気分に応じた任意の涼音を発生させることができなかった。
【０００４】
本発明は、このような課題を解決するためになされたものであり、簡単な操作により使用者の好みの風量に対して、その日の気分に応じた任意の涼音を発生させることができ、使い勝手を向上させた扇風機を提供することを課題とする。
【課題を解決するための手段】
【０００５】
上記課題を解決するための第１の手段は、風量を切換える風量スイッチと、涼音を発生させる涼音スイッチとを備えた扇風機において、前記涼音スイッチは、複数種の音の中から任意の音を選択できることを特徴とする。
【０００６】
上記課題を解決するための第２の手段は、風量を切換える風量スイッチと、涼音を発生させる涼音スイッチとを備えた扇風機において、前記涼音スイッチは、複数種の音の中から任意の音を選択できると共に、涼音発生時の音量は、風量スイッチにより選択された風量に基づいて設定されることを特徴とする。
【０００７】
上記課題を解決するための第３の手段は、タッチ式風量スイッチと、涼音発生機能とを備えた扇風機において、風量スイッチにタッチしている時間が所定時間内の場合は、風量スイッチにタッチする度に風量を所定のパターンで強弱切換えると共に、風量スイッチにタッチしている時間が所定時間以上の場合は、その時の風量を継続したままその時の風量に対応して設定された涼音を発生させ、涼音を発生させた後の状態で風量スイッチにタッチする時間が所定時間内の場合は、風量スイッチにタッチする度にその時の涼音を継続したまま風量を所定のパターンで強弱切換えることを特徴とする。
【０００８】
上記課題を解決するための第３の手段において、前記涼音を発生している状態において風量スイッチにタッチしている時間が所定時間以上の場合は、その時の風量を継続したまま涼音を消すことが好ましい。
【０００９】
上記課題を解決するための第４の手段は、風量を切換えるための風量スイッチと、涼音発生機能とを備えた扇風機において、前記風量スイッチを操作する度に風量または涼音を所定のパターンで切換えることを特徴とする。
【００１０】
上記課題を解決するための第５の手段は、風量を切換える風量スイッチと、涼音を発生させる涼音スイッチと、タイマー運転を設定するタイマースイッチとを備えた扇風機において、前記涼音スイッチは、複数種の音の中から任意の音を選択でき、涼音スイッチによ
り任意の涼音を選択すると共に、タイマースイッチによりタイマー運転を設定した場合、時間の経過と共に涼音の音量を小さくすることを特徴とする。
【００１１】
上記課題を解決するための第６の手段は、風量を切換える風量スイッチと、涼音を発生させる涼音スイッチと、目覚ましモードを選択する目覚ましスイッチと、目覚ましスイッチにより目覚ましモードが選択された際に目覚まし時間を設定する時間設定スイッチとを備えた扇風機において、前記涼音スイッチは、複数種の音の中から任意の音を選択でき、前記時間設定スイッチにより設定された目覚まし時間になった時、前記複数種の音の中から予め設定されている涼音を発生させることを特徴とする。
【００１２】
上記課題を解決するための第６の手段において、前記時間設定スイッチにより設定された目覚まし時間になった後、時間の経過と共に前記複数種の音の中から発生させる涼音の種類を変化させることが好ましい。
【００１３】
また、前記時間設定スイッチにより設定された目覚まし時間になった後、時間の経過と共に発生させる涼音の音量を大きくすることが好ましい。
【００１４】
上記課題を解決するための第６の手段において、前記時間設定スイッチにより設定された目覚まし時間になったときに発生させる涼音の種類は、目覚ましスイッチにより目覚ましモードを選択する際、前記複数種の音の中から任意の音を選択できることが好ましい。
【発明の効果】
【００１５】
本発明の請求項１の構成によれば、風量に関係なく涼音を使用者のその日の気分に応じて簡単に設定することができるため、使い勝手を向上させることができる等の効果を奏する。
【００１６】
本発明の請求項２の構成によれば、涼音の種類に関係なく風量が多い程涼音の音量が大きくなるように設定されているため、風切音により涼音が聞こえなくなることを防止することができる等の効果を奏する。
【００１７】
本発明の請求項３の構成によれば、涼音を発生させるための特別な操作部を設けることなく、風量を切換える風量スイッチを、涼音を発生させる操作部に兼用しているため構成を簡素化することができる等の効果を奏する。
【００１８】
本発明の請求項４の構成によれば、風量を切換える風量スイッチを、涼音を消す操作部に兼用しているため構成を簡素化することができる等の効果を奏する。
【００１９】
本発明の請求項５の構成によれば、涼音を発生させるための特別な操作部を設けることなく、風量を切換える風量スイッチを、涼音を発生させる操作部に兼用しているため構成を簡素化することができる。また、風量スイッチを単純に押すだけで風量及び涼音を切換えることができるため、操作性を向上させることができる等の効果を奏する。
【００２０】
本発明の請求項６の構成によれば、タイマー運転時の時間経過と共に、涼音の音量を小さくすることにより、快適な就寝を得ることができる等の効果を奏する。
【００２１】
本発明の請求項７の構成によれば、涼音を目覚まし音に兼用しているため、構成を簡素化することができる等の効果を奏する。
【００２２】
本発明の請求項８の構成によれば、目覚まし運転中の時間経過と共に涼音の種類を切換えているため、快適に目覚めを得ることができる等の効果を奏する。
【００２３】
本発明の請求項９の構成によれば、目覚まし運転中の時間経過と共に音の音量を大きくしているため、確実に目覚めを得ることができる等の効果を奏する。
【００２４】
本発明の請求項１０の構成によれば、目覚まし運転のパターンを使用者の好みに応じて任意に設定することができるため、使い勝手を向上させることができる等の効果を奏する。
【発明を実施するための最良の形態】
【００２５】
（第１実施形態）
本発明に係る扇風機の第１実施形態を図１乃至図３に基づいて説明する。
【００２６】
本発明の扇風機は、略円盤状のスタンドベース１と、スタンドベース１から上方に立設された支柱部２と、支柱部２の上端に配設された送風部３と、スタンドベース１に配設された操作部４とから構成されている（図１参照）。
【００２７】
支柱部２は、スタンドベース１と一体に形成され、上方に立設する支柱５と、垂直方向に支柱５内を摺動自在にスライドするスライドパイプ６とから構成されている。送風部３は、図示しないモータにより回転駆動する羽根７と、羽根７を覆うガード８とから構成されている。
【００２８】
操作部４は、電源の入／切を選択する電源スイッチ９と、羽根７の風量を切換える風量スイッチ１０と、風量スイッチ１０により切換えられた風量を表示する風量表示部１１と、涼音の発生有無を選択する涼音スイッチ１２と、涼音スイッチ１２により涼音の発生が選択されていることを表示する涼音発生表示部１３と、タイマー運転の時間を設定するタイマースイッチ１４と、タイマー運転の時間を表示するタイマー表示部１５とから構成されている。
【００２９】
操作部４に対応するスタンドベース１内には図示しない制御部品が載置された基板１６が内装されている。基板１６には、涼音スイッチ１２により選択された涼音を発生させるためのスピーカー１７が載置されている。また、図示しない制御部品により、涼音の音量は、風量に応じて自動的に設定されており、風量が弱の時は音量は小、風量が中の時は音量は中、風量が強の時は音量は大となっている。
【００３０】
このように構成された扇風機は図２において、電源スイッチ９を入れると羽根７が回転を始めると共に、弱の風量で運転を行う（Ｓ１→Ｓ２）。この状態で風量スイッチ１０を押すと中の風量で運転を行う（Ｓ３のＹ→Ｓ４）。さらに風量スイッチ１０を押すと強の風量で運転を行う（Ｓ５のＹ→Ｓ６）。もう一度風量スイッチ１０を押すと弱の風量で運転を行う（Ｓ７のＹ→Ｓ２）。このようにして、風量スイッチ１０を押す度に風量が順送りで切換わる。風量スイッチ１０により選択された風量は、風量表示部１１に表示されるようになっているため、風量スイッチ１０により選択された風量を容易に確認することができる。もう一度電源スイッチ９を入れると羽根７は停止する。
【００３１】
図３において風量に関係なく羽根７が駆動している時に涼音スイッチ１２を押すと、スピーカー１７から風鈴の音が流れる（Ｓ５０→Ｓ５１のＹ→Ｓ５２）。さらに涼音スイッチ１２を押すとスピーカー１７から虫の音が流れる（Ｓ５３のＹ→Ｓ５４）。もう一度涼音スイッチ１２を押すとスピーカー１７から波の音が流れる（Ｓ５５のＹ→Ｓ５６）。さらにもう一度涼音スイッチ１２を押すと音が消える（Ｓ５７のＹ→Ｓ５８）。そしてまた涼音スイッチ１２を押すと、スピーカー１７から風鈴の音が流れる（Ｓ５９のＹ→Ｓ５２）。このようにして、涼音スイッチ１２を押す度に涼音が順送りで切換わる。スピーカー
１７から涼音を発生させている間は、涼音発生表示部１３にその旨が表示される。
【００３２】
第１実施形態の扇風機はこのように構成されているため、風量に関係なく涼音を使用者のその日の気分に応じて簡単に設定することができるため、使い勝手を向上させることができる。また、上述したように、涼音の種類に関係なく風量が多い程涼音の音量が大きくなるように設定されているため、風切音により涼音が聞こえなくなることを防止することができる。
【００３３】
（第２実施形態）
図４または図５は第２実施形態を示している。尚、第１実施形態と同一部品は同一符号を付して説明を省略する。第１実施形態では涼音スイッチ１２により涼音を切換えるようにしたが、第２実施形態では涼音スイッチ１２を廃止し、風量スイッチ１０ａにより涼音を切換えできるようにしている。
【００３４】
風量の切換えは第１実施形態と同様に行う。即ち、図５において、電源スイッチ９を入れると涼音を発することなく羽根７が回転を始めると共に、弱の風量で運転を行う（Ｓａ１→Ｓａ２）。この状態で風量スイッチ１０ａを押すと中の風量で運転を行う（Ｓａ３のＹ→Ｓａ４のＮ→Ｓａ５）。さらに風量スイッチ１０ａを押すと強の風量で運転を行う（Ｓａ６のＹ→Ｓａ７のＮ→Ｓａ８）。もう一度風量スイッチ１０ａを押すと弱の風量で運転を行う（Ｓａ９のＹ→Ｓａ１０のＮ→Ｓａ２）。このようにして、風量スイッチ１０ａを押す度に風量が順送りで切換わる。もう一度電源スイッチ９を入れると羽根７は停止する。
【００３５】
風量が弱の時、風量スイッチ１０ａを２秒以上操作すると、弱の送風を継続すると共に、弱風に最適と思われる風鈴の音がスピーカー１７から流れる（Ｓａ３のＹ→Ｓａ４のＹ→Ｓａ１１）。風鈴の音を流したまま風量を上げたい時は、風量スイッチ１０ａを押すと風鈴の音を流したまま中の風量に切換わる（Ｓａ１２のＹ→Ｓａ１３のＮ→Ｓａ１４）。さらに風量を上げたい時は、風量スイッチ１０ａを押すと風鈴の音を流したまま強の風量に切換わる（Ｓａ１５のＹ→Ｓａ１６のＮ→Ｓａ１７）。もう一度風量スイッチ１０ａを押すと風鈴の音を流したまま弱の風量に切換わる（Ｓａ１８のＹ→Ｓａ１９のＮ→Ｓａ１１）。このようにして、風鈴の音を流したまま風量が順送りで切換わる。この時風量スイッチ１０ａを２秒以上操作すると、風量は切換わらずに風鈴の音が消える（Ｓａ１３のＹ、Ｓａ１６のＹ、Ｓａ１９のＹ）。
【００３６】
風量が中の時、風量スイッチ１０ａを２秒以上操作すると、中の送風を継続すると共に、中風に最適と思われる虫の声がスピーカー１７から流れる（Ｓａ５→Ｓａ６のＹ→Ｓａ７のＹ→Ｓａ２０）。虫の声を流したまま風量を上げたい時は、風量スイッチ１０ａを押すと虫の声を流したまま強の風量に切換わる（Ｓａ２１のＹ→Ｓａ２２のＮ→Ｓａ２３）。風量を下げたい時は、風量スイッチ１０ａを押すと虫の声を流したまま弱の風量に切換わる（Ｓａ２４のＹ→Ｓａ２５のＮ→Ｓａ２６）。もう一度風量スイッチ１０ａを押すと虫の声を流したまま中の風量に切換わる（Ｓａ２７のＹ→Ｓａ２８のＮ→Ｓａ２０）。このようにして、虫の声を流したまま風量が順送りで切換わる。この時風量スイッチ１０ａを２秒以上操作すると、風量は切換わらずに虫の声が消える（Ｓａ２２のＹ、Ｓａ２５のＹ、Ｓａ２８のＹ）。
【００３７】
風量が強の時、風量スイッチ１０ａを２秒以上操作すると、強の送風を継続すると共に、強風に最適と思われる波の音がスピーカー１７から流れる（Ｓａ８→Ｓａ９のＹ→Ｓａ１０のＹ→Ｓａ２９）。波の音を流したまま風量を下げたい時は、風量スイッチ１０ａを押すと波の音を流したまま弱の風量に切換わる（Ｓａ３０のＹ→Ｓａ３１のＮ→Ｓａ３２）。風量を上げたい時は、風量スイッチ１０ａを押すと波の音を流したまま中の風量に切
換わる（Ｓａ３３のＹ→Ｓａ３４のＮ→Ｓａ３５）。もう一度風量スイッチ１０ａを押すと波の音を流したまま強の風量に切換わる（Ｓａ３６のＹ→Ｓａ３７のＮ→Ｓａ２９）。このようにして、波の音を流したまま風量が順送りで切換わる。この時風量スイッチ１０ａを２秒以上操作すると、風量は切換わらずに波の音が消える（Ｓａ３１のＹ、Ｓａ３４のＹ、Ｓａ３７のＹ）。
【００３８】
第２実施形態の扇風機はこのように構成されているため、風量に関係なく涼音を使用者のその日の気分に応じて簡単に設定することができるため、使い勝手を向上させることができる。また、涼音を発生させるための特別な操作部を設けることなく、風量を切換える風量スイッチ１０ａを、涼音を発生させる操作部に兼用しているため構成を簡素化することができる。
【００３９】
（第３実施形態）
図６は第３実施形態を示している。尚、第１実施形態及び第２実施形態と同一部品は同一符号を付して説明を省略する。第２実施形態では風量スイッチ１０ａを２秒以上押し続けることにより涼音を切換えできるようにしたが、第３実施形態では風量スイッチ１０ｂを押すことにより風量及び涼音が順送りで切換わるようになっている。
【００４０】
図６において、電源スイッチ９を入れると涼音を発することなく羽根７が回転を始めると共に、弱の風量で運転を行う（Ｓｂ１→Ｓｂ２）。この状態で風量スイッチ１０ｂを押すと弱の風量のままで風鈴の音がスピーカー１７から流れる（Ｓｂ３のＹ→Ｓｂ４）。もう一度風量スイッチ１０ｂを押すと弱の風量のままで虫の声がスピーカー１７から流れる（Ｓｂ５のＹ→Ｓｂ６）。さらに風量スイッチ１０ｂを押すと弱の風量のままで波の音がスピーカー１７から流れる（Ｓｂ７のＹ→Ｓｂ８）。そして風量スイッチ１０を押すと音は消えて中の風量で運転を行う（Ｓｂ９のＹ→Ｓｂ１０）。また風量スイッチ１０を押すと中の風量のままで虫の声がスピーカー１７から流れる（Ｓｂ１１のＹ→Ｓｂ１２）。そして風量スイッチ１０を押すと中の風量のままで波の音がスピーカー１７から流れる（Ｓｂ１３のＹ→Ｓｂ１４）。また風量スイッチ１０を押すと音は消えて強の風量で運転を行う（Ｓｂ１５のＹ→Ｓｂ１６）。そして風量スイッチ１０を押すと強の風量のままで波の音がスピーカー１７から流れる（Ｓｂ１７のＹ→Ｓｂ１８）。また風量スイッチ１０ｂを押すと音は消えて弱の風量で運転を行う（Ｓｂ１９のＹ→Ｓｂ２）。このようにして、風量スイッチ１０ｂを押す度に風量及び涼音が順送りで切換わる。この時もう一度電源スイッチ９を入れると音は消えると共に羽根７は停止する。
【００４１】
第３実施形態の扇風機はこのように構成されているため、風量に関係なく涼音を使用者のその日の気分に応じて簡単に設定することができるため、使い勝手を向上させることができる。また、涼音を発生させるための特別な操作部を設けることなく、風量を切換える風量スイッチ１０ｂを、涼音を発生させる操作部に兼用しているため構成を簡素化することができる。さらに、風量スイッチ１０ｂを単純に押すだけで風量及び涼音を切換えることができるため、操作性を向上させることができる。
【００４２】
（第４実施形態）
図７または図８は第４実施形態を示している。尚、第１実施形態乃至第３実施形態と同一部品は同一符号を付して説明を省略する。第４実施形態ではタイマー運転時に涼音の音量が自動的に切換わるようになっている。
【００４３】
第４実施形態の扇風機の風量及び涼音の切換えは、第１実施形態と同様に風量スイッチ１０及び涼音スイッチ１２で行う。図７において電源スイッチを入れて扇風機の運転中にタイマースイッチ１４を押すと１時間後に運転が停止する１時間切タイマー運転に設定されると共に、タイマー表示部１５の１時間と表示されたＬＥＤランプが点灯する（Ｓｃ１
→Ｓｃ２のＹ→Ｓｃ３）。もう一度タイマースイッチ１４を押すと２時間後に運転が停止する２時間切タイマー運転に設定されると共に、タイマー表示部１５の２時間と表示されたＬＥＤランプが点灯する（Ｓｃ４のＹ→Ｓｃ５）。さらにタイマースイッチ１４を押すと４時間後に運転が停止する４時間切タイマー運転に設定されると共に、タイマー表示部１５の４時間と表示されたＬＥＤランプが点灯する（Ｓｃ６のＹ→Ｓｃ７）。またタイマースイッチ１４を押すとタイマー運転を解除すると共に、タイマー表示部１５の表示を消す（Ｓｃ８のＹ→Ｓｃ９）。そしてタイマースイッチ１４を押すと再び１時間後に運転が停止する１時間切タイマー運転に設定されると共に、タイマー表示部１５の１時間と表示されたＬＥＤランプが点灯する（Ｓｃ１０のＹ→Ｓｃ３）。このようにして、タイマー運転が順送りで切換わる。
【００４４】
涼音スイッチ１２により任意の涼音を発生させながらタイマー運転を設定すると、タイマー運転時間に応じてその時の音量は、４時間切タイマー運転時には音量は大、２時間切タイマー運転時には音量は中、１時間切タイマー運転時には音量は小となっている。例えば、図８に示すように涼音スイッチ１２により虫の声を選択し、４時間切タイマー運転に設定した時は、タイマー表示部１５の４時間と表示されたＬＥＤランプが点灯すると共に、タイマー運転時間設定時にはスピーカー１７から大きな音量で虫の声が流れる（Ｓｃ５０→Ｓｃ５１）。そして２時間が経過すると、タイマー表示部１５の２時間と表示されたＬＥＤランプが点灯すると共に、スピーカー１７から中の音量で虫の声が流れる（Ｓｃ５２のＹ→Ｓｃ５３）。それから１時間経過すると、タイマー表示部１５の１時間と表示されたＬＥＤランプが点灯すると共に、スピーカー１７から小の音量で虫の声が流れる（Ｓｃ５４のＹ→Ｓｃ５５）。さらに１時間経過すると、タイマー表示部１５の表示を消して、運転を停止させると共に音を消す（Ｓｃ５６のＹ→Ｓｃ５７）。
【００４５】
第４実施形態の扇風機はこのように構成されているため、風量に関係なく涼音を使用者のその日の気分に応じて簡単に設定することができるため、使い勝手を向上させることができる。また、タイマー運転時の時間経過と共に、涼音の音量を小さくすることにより、快適な就寝を得ることができる。
【００４６】
（第５実施形態）
図９乃至図１１は第５実施形態を示している。尚、第１実施形態乃至第４実施形態と同一部品は同一符号を付して説明を省略する。第５実施形態では涼音により使用者の目を覚まさす目覚しタイマーを備えた構成になっている。
【００４７】
スタンドベース１の操作部４には、タイマー運転と目覚まし運転の両方の機能を備えたタイマー＆目覚ましスイッチ１８と、目覚まし運転の目覚まし時間を設定する時間設定スイッチ１９と、時間設定スイッチ１９により設定された目覚まし時間を表示する目覚まし時間表示部２０が配設されている。
【００４８】
図１０において、電源スイッチ９を入れ、タイマー＆目覚ましスイッチ１８を押すと、第４実施形態の図７と同様に１時間、２時間、４時間のタイマー運転を設定することができる（Ｓｄ１→Ｓｄ２のＹ→Ｓｄ３のＮ→Ｓｄ４）。また、電源スイッチ９を入れ、タイマー＆目覚ましスイッチ１８を２秒以上操作すると目覚まし設定モードに入る（Ｓｄ１→Ｓｄ２のＹ→Ｓｄ３のＹ→Ｓｄ５）。時間設定スイッチ１９により目覚まし時間を設定すると、目覚ましタイマー設定が完了する（Ｓｄ６のＹ→Ｓｄ７）。そして時間設定スイッチ１９により設定された時間になると、目覚まし運転が開始する（Ｓｄ８のＹ→Ｓｄ９）。目覚まし運転時に電源スイッチ９、風量スイッチ１０、時間設定スイッチ１９及びタイマー＆目覚ましスイッチ１８のどれかのスイッチを押すと目覚まし運転を停止させると共に、目覚まし設定が解除される（Ｓｄ１０のＹ→Ｓｄ１１）。
【００４９】
Ｓｄ９の目覚まし運転は、図１１に示すように最初は小の音量で波の音を発生させる（Ｓｄ５１）。それから１５秒経過すると弱の風量で送風を開始する（Ｓｄ５２）。また１５秒経過すると音を風鈴の音に切換えると共に、音量を中にする（Ｓｄ５３）。それから１５秒経過すると風量が弱から中に切換わる（Ｓｄ５４）。また１５秒経過すると音がブザー音に切換わると共に、音量が大に切換わる（Ｓｄ５５）。それから１５秒経過すると風量が中から強に切換わる（Ｓｄ５６）。このＳｄ５６の状態は、電源スイッチ９、風量スイッチ１０、時間設定スイッチ１９及びタイマー＆目覚ましスイッチ１８のどれかのスイッチが押されるまで継続される。
【００５０】
第５実施形態の扇風機はこのように構成されているため、涼音を目覚ましに兼用しているため、構成を簡素化することができる。また、目覚まし運転中の時間経過と共に音の種類を切換えているため、快適に目覚めを得ることができる。さらに、目覚まし運転中の時間経過と共に音の音量を大きくしているため、確実に目覚めを得ることができる。また、目覚まし運転中の時間経過と共に風量も多くしているため、より快適に且つ確実に目覚めを得ることができる。
【００５１】
（第６実施形態）
図１２は第６実施形態を示している。尚、第１実施形態乃至第５実施形態と同一部品は同一符号を付して説明を省略する。第６実施形態は、第５実施形態の目覚まし運転の他の形態を示している。目覚まし運転の設定方法や解除方法は第５実施形態と同じである。
【００５２】
第６実施形態の目覚まし運転は、図１２に示すように最初に弱の風量で運転を開始すると共に、小の音量で波の音を発生させる（Ｓｅ１）。そして３０秒が経過すると中の風量に切換わると共に、中の音量で風鈴の音に切換わる（Ｓｅ２）。それから３０秒経過すると強の風量に切換わると共に、大の音量でブザー音を発生させる（Ｓｅ３）。
【００５３】
第６実施形態の扇風機はこのように構成されているため、涼音を目覚ましに兼用しているため、構成を簡素化することができる。また、目覚まし運転中の時間経過と共に音の種類を切換えているため、快適に目覚めを得ることができる。さらに、目覚まし運転中の時間経過と共に音の音量を大きくしているため、確実に目覚めを得ることができる。また、目覚まし運転中の時間経過と共に風量も多くしているため、より快適に且つ確実に目覚めを得ることができる。
【００５４】
（第７実施形態）
図１３は第７実施形態を示している。尚、第１実施形態乃至第６実施形態と同一部品は同一符号を付して説明を省略する。第５実施形態または第６実施形態では、目覚まし運転のパターンは１種類しか設定されていなかったが、第７実施形態では、複数の目覚まし運転のパターンから任意の目覚ましパターンを選択できるようにしている。
【００５５】
図１３において、電源スイッチ９を入れ、タイマー＆目覚ましスイッチ１８を２秒以上操作すると、時間厳守で設定した時間に確実に起きることができる目覚ましパターン１、即ち、風量は強、音は音量大のブザー音に設定される（Ｓｆ１→Ｓｆ２のＹ→Ｓｆ３のＹ→Ｓｆ４）。もう一度タイマー＆目覚ましスイッチ１８を２秒以上操作すると、設定した時間にだいたい起きることができる目覚ましパターン２、即ち、風量は中、音は中音量の風鈴音に設定される（Ｓｆ５のＹ→Ｓｆ６のＹ→Ｓｆ７）。さらにもう一度タイマー＆目覚ましスイッチ１８を２秒以上操作すると、設定した時間にゆっくり起きることができる目覚ましパターン３、即ち、風量は弱、音は小音量の波の音に設定される（Ｓｆ８のＹ→Ｓｆ９のＹ→Ｓｆ１０）。もう一度タイマー＆目覚ましスイッチ１８を２秒以上操作すると、目覚まし設定は解除される（Ｓｆ１１のＹ→Ｓｆ１２のＹ→Ｓｆ１３）。さらにもう一度タイマー＆目覚ましスイッチ１８を２秒以上操作すると、目覚ましパターン１に戻る
（Ｓｆ１４のＹ→Ｓｆ１５のＹ→Ｓｆ４）。このようにしてタイマー＆目覚ましスイッチ１８を２秒以上押し続けることを繰り返すことにより、目覚ましパターンが順送りで切換わる。タイマー＆目覚ましスイッチ１８により任意の目覚ましパターンを選択し時間設定スイッチ１９により目覚まし時間を設定すると、目覚ましタイマー設定が完了する。目覚ましパターン設定時にタイマー＆目覚ましスイッチ１８を通常の操作に換えると、タイマー運転に切換わる（Ｓｆ３のＮ、Ｓｆ６のＮ、Ｓｆ９のＮ、Ｓｆ１２のＮ、Ｓｆ１５のＮ）。
【００５６】
第７実施形態の扇風機はこのように構成されているため、目覚まし運転のパターンを使用者の好みに応じて任意に設定することができるため、使い勝手を向上させることができる。
【図面の簡単な説明】
【００５７】
【図１】本発明を実施するための最良の第１実施形態の扇風機の斜視図である。
【図２】同扇風機のフローチャートで、風量制御を示す。
【図３】同扇風機のフローチャートで、涼音制御を示す。
【図４】本発明を実施するための最良の第２実施形態の扇風機の斜視図である。
【図５】同扇風機のフローチャートで、風量及び涼音制御を示す。
【図６】本発明を実施するための最良の第３実施形態の扇風機のフローチャートで、風量及び涼音制御を示す。
【図７】本発明を実施するための最良の第４実施形態の扇風機のフローチャートで、タイマー制御を示す。
【図８】同扇風機のフローチャートで、タイマーを設定した後の状態を示す。
【図９】本発明を実施するための最良の第５実施形態の扇風機の斜視図である。
【図１０】同扇風機のフローチャートで、目覚まし制御を示す。
【図１１】同扇風機のフローチャートで、目覚ましを設定した後の状態を示す。
【図１２】本発明を実施するための最良の第６実施形態の扇風機のフローチャートで、目覚ましを設定した後の状態を示す。
【図１３】本発明を実施するための最良の第７実施形態の扇風機のフローチャートで、目覚ましパターン制御を示す。
【符号の説明】
【００５８】
１    スタンドベース
２    支柱部
３    送風部
４    操作部
１０  風量スイッチ
１２  涼音スイッチ
【図１】
2005098204.tif 000003
【図２】
2005098204.tif 000004
【図３】
2005098204.tif 000005
【図４】
2005098204.tif 000006
【図５】
2005098204.tif 000007
【図６】
2005098204.tif 000008
【図７】
2005098204.tif 000009
【図８】
2005098204.tif 000010
【図９】
2005098204.tif 000011
【図１０】
2005098204.tif 000012
【図１１】
2005098204.tif 000013
【図１２】
2005098204.tif 000014
【図１３】
2005098204.tif 000015